(57)【特許請求の範囲】
【請求項１】
一面にキーパッドが形成される第１筐体と、
前記第１筐体にスライド可能に装着され、前記キーパッドを開閉する開位置と閉位置間で移動可能な第２筐体と、
前記第２筐体が閉位置にあるときに露出し、前記キーパッドから離隔して前記第１筐体の一面から突出した上部領域に備えられる入力装置と、
端末機の外観を形成し、独立して加圧される１対のカバーボタンを備えるカバーとを含み、
前記入力装置は、
回転可能に形成されるローラ部材と、
前記ローラ部材に隣接する少なくとも１つのボタンとを含み、
閉位置では前記カバーボタンが前記入力装置を介して両側にそれぞれ配置され、開位置では前記カバーボタンが前記入力装置から離隔するように、前記カバーは、閉位置で前記第１筐体の上部領域に近接した前記第２筐体の一側に形成されることを特徴とする携帯端末機。
【請求項２】
前記少なくとも１つのボタンが１対のボタンからなり、前記各ボタンが前記ローラ部材の両端に位置することを特徴とする請求項１に記載の携帯端末機。
【請求項３】
前記第２筐体が、前記上部領域に対応する形状を有する切欠部を備えることを特徴とする請求項１に記載の携帯端末機。
【請求項４】
前記カバーの下部に設置される１対のスイッチをさらに含み、前記各スイッチが前記カバーに形成される１対のボタンのいずれか一方に連動することを特徴とする請求項１に記載の携帯端末機。
【請求項５】
前記入力装置が前記カバーを介して露出するように設置されることを特徴とする請求項１に記載の携帯端末機。
【請求項６】
前記ローラ部材が、正方向及び逆方向に回転可能であることを特徴とする請求項１に記載の携帯端末機。
【請求項７】
前記ローラ部材が、前記第１筐体に向かって垂直方向に押されることを特徴とする請求項６に記載の携帯端末機。
【請求項８】
前記ローラ部材に隣接する少なくとも１つのボタンが、前記第１筐体に向かって垂直方向に押されることを特徴とする請求項７に記載の携帯端末機。
【請求項９】
前記少なくとも１つのボタンが１対のボタンからなり、前記各ボタンが前記ローラ部材の両端に位置することを特徴とする請求項８に記載の携帯端末機。
【発明の詳細な説明】
【技術分野】
【０００１】
本発明はスライド型携帯端末機に関し、より詳しくは、外部面に入力装置を備えることにより閉位置でも接続が可能なスライド型携帯端末機に関する。
【背景技術】
【０００２】
一般的に、移動通信装置とは、携帯電話やＰＤＡなどの携帯端末機をいう。このような携帯端末機は、ユーザが無線通信により相手ユーザと動画像、音声、文字などの多様な種類の情報を交換したり、指定されたサーバに接続して多様なサービスを受信することができるようにする。
【０００３】
付加的な特徴が追加されることによって、従来の携帯端末機は、前記付加的な特徴を適切に動作させるために考案された入力装置をさらに備える。一般的に、このような入力装置は、前記携帯端末機の外部面から突出しており、前記携帯端末機の美観に影響を及ぼし、前記携帯端末機の全体的にスリムな形状を損なう。
【発明の開示】
【発明が解決しようとする課題】
【０００４】
本発明は、このような従来技術の問題を解決するためになされたもので、携帯端末機の全体的な美観を損なわない入力装置を備えることにより外観を改善できる携帯端末機を提供することを目的とする。さらに、前記入力装置は、前記携帯端末機の開閉状態に関係なく接続できるようにすることが好ましい。
【課題を解決するための手段】
【０００５】
上記の目的を達成するために、本発明による携帯端末機は、第１筐体１１０と、前記第１筐体１１０にスライド可能に装着されて開位置と閉位置間で移動可能な第２筐体１２０と、前記第２筐体１２０が閉位置にあるときに露出する前記第１筐体１１０又は前記第２筐体１２０の外部面に備えられる入力装置とを含む。前記入力装置は、ローラ部材１３０と、前記ローラ部材１３０に隣接する少なくとも１つのボタン１４１、１４２とを含む。
【０００６】
本発明の他の態様において、前記少なくとも１つのボタンは、前記ローラ部材の両端に位置する１対のボタンを含む。
【０００７】
本発明のさらに他の態様において、前記第１筐体は上部領域を備え、前記入力装置は前記上部領域内に位置する。前記第２筐体は、前記上部領域に対応する形状を有する切欠部を備える。前記携帯端末機は、前記第２筐体の切欠部の周囲に配置され、１対のボタンを備えるカバーをさらに含む。また、前記携帯端末機は、前記カバーの下部に設置される１対のスイッチをさらに含み、前記各スイッチは前記カバーに形成される１対のボタンのいずれか一方に連動する。
【０００８】
本発明のさらに他の態様において、前記携帯端末機は、前記第１筐体に備えられる上部領域上に配置されるカバーをさらに含み、前記入力装置は前記カバーを介して露出するように設置される。前述したように、前記カバーは、前記カバーに形成される１対のボタンを含む。また、前記携帯端末機は、前記カバーの下部に設置される１対のスイッチをさらに含み、前記各スイッチは前記カバーに形成される１対のボタンのいずれか一方に連動する。
【０００９】
本発明のさらに他の態様において、前記ローラ部材は、正方向及び逆方向に回転可能であり、前記第１筐体に向かって垂直方向に押すことができる。前記ローラ部材に隣接する少なくとも１つのボタンも、前記第１筐体に向かって垂直方向に押すことができる。また、前記少なくとも１つのボタンは１対のボタンからなり、前記各ボタンは前記ローラ部材の両端に位置する。前記携帯端末機は、前記第１筐体に備えられる上部領域上に配置されるカバーをさらに含み、前記入力装置は前記カバーを介して露出するように設置される。同様に、前記カバーは、前記カバーに形成される１対のボタンを含む。前記携帯端末機は、前記カバーの下部に設置される１対のスイッチをさらに含み、前記各スイッチは前記カバーに形成される１対のボタンのいずれか一方に連動する。
【００１０】
本発明のさらに他の態様において、前記入力装置の下部の前記第１筐体内にアンテナが位置する。
【００１１】
本発明のさらに他の態様において、前記第２筐体は、内部に形成されるディスプレイを備え、前記第１筐体は、前記第２筐体が前記第１筐体に対して移動するときに露出するキーパッドを備える。
【００１２】
上記目的を達成するために、本発明は、例えば、以下の手段を提供する：
（項目１）
第１筐体と、
前記第１筐体にスライド可能に装着されて開位置と閉位置間で移動可能な第２筐体と、
前記第２筐体が閉位置にあるときに露出する前記第１筐体又は前記第２筐体の外部面に備えられる入力装置とを含み、
前記入力装置は、
ローラ部材と、
前記ローラ部材に隣接する少なくとも１つのボタンと
を含むことを特徴とする携帯端末機。
（項目２）
前記少なくとも１つのボタンが１対のボタンからなり、前記各ボタンが前記ローラ部材の両端に位置することを特徴とする項目１に記載の携帯端末機。
（項目３）
前記第１筐体が上部領域を備え、前記入力装置が前記上部領域内に位置することを特徴とする項目１に記載の携帯端末機。
（項目４）
前記第２筐体が、前記上部領域に対応する形状を有する切欠部を備えることを特徴とする項目３に記載の携帯端末機。
（項目５）
前記第２筐体の切欠部の周囲に配置され、１対のボタンを備えるカバーをさらに含むことを特徴とする項目４に記載の携帯端末機。
（項目６）
前記カバーの下部に設置される１対のスイッチをさらに含み、前記各スイッチが前記カバーに形成される１対のボタンのいずれか一方に連動することを特徴とする項目５に記載の携帯端末機。
（項目７）
前記第１筐体に備えられる上部領域上に配置されるカバーをさらに含み、前記入力装置が前記カバーを介して露出するように設置されることを特徴とする項目１に記載の携帯端末機。
（項目８）
前記カバーが、前記カバーに形成される１対のボタンを含むことを特徴とする項目７に記載の携帯端末機。
（項目９）
前記カバーの下部に設置される１対のスイッチをさらに含み、前記各スイッチが前記カバーに形成される１対のボタンのいずれか一方に連動することを特徴とする項目８に記載の携帯端末機。
（項目１０）
前記ローラ部材が、正方向及び逆方向に回転可能であることを特徴とする項目１に記載の携帯端末機。
（項目１１）
前記ローラ部材が、前記第１筐体に向かって垂直方向に押されることを特徴とする項目１０に記載の携帯端末機。
（項目１２）
前記ローラ部材に隣接する少なくとも１つのボタンが、前記第１筐体に向かって垂直方向に押されることを特徴とする項目１１に記載の携帯端末機。
（項目１３）
前記少なくとも１つのボタンが１対のボタンからなり、前記各ボタンが前記ローラ部材の両端に位置することを特徴とする項目１２に記載の携帯端末機。
（項目１４）
前記第１筐体に備えられる上部領域上に配置されるカバーをさらに含み、前記入力装置が前記カバーを介して露出するように設置されることを特徴とする項目１３に記載の携帯端末機。
（項目１５）
前記カバーが、前記カバーに形成される１対のボタンを含むことを特徴とする項目１４に記載の携帯端末機。
（項目１６）
前記カバーの下部に設置される１対のスイッチをさらに含み、前記各スイッチが前記カバーに形成される１対のボタンのいずれか一方に連動することを特徴とする項目１５に記載の携帯端末機。
（項目１７）
前記入力装置の下部の前記第１筐体内にアンテナが位置することを特徴とする項目１に記載の携帯端末機。
（項目１８）
前記第２筐体は、内部に形成されるディスプレイを備え、前記第１筐体は、前記第２筐体が前記第１筐体に対して移動するときに露出するキーパッドを備えることを特徴とする項目１に記載の携帯端末機。
【発明の効果】
【００１３】
本発明によるスライド型携帯端末機においては、携帯端末機の開閉状態に関係なく、メニューアイテムの選択又はポインタの制御により前記携帯端末機を制御できるという効果がある。
【発明を実施するための最良の形態】
【００１４】
以下、本発明によるスライド型携帯端末機の好ましい実施形態について添付図面を参照して詳細に説明する。
【００１５】
図１〜図３は、本発明の第１実施形態による携帯端末機１００を示す斜視図である。以下の実施形態では携帯端末機を例に挙げて説明するが、本発明はＰＤＡ、携帯用ゲーム機、携帯用音楽再生機、又は携帯用計算機などの他の携帯用装置にも適用することができる。
【００１６】
本発明の第１実施形態による携帯端末機１００は、第１筐体１１０と、第１筐体１１０に対して移動可能に連結される第２筐体１２０とを含む。第１筐体１１０の上部領域１１４が携帯端末機１００の開閉状態に関係なく常に露出するように、第２筐体１２０は第１筐体１１０よりも短く形成される。
【００１７】
ローラ部材１３０の一部は上部領域１１４内に位置し、他の一部は上部領域１１４の上面１３１から延びる。ローラ部材１３０は、垂直軸（Ｘ−Ｘ）に対して回転可能である。ローラ部材１３０は、正方向及び逆方向に回転し、第２筐体１２０のディスプレイ１２１に表示されたポインタ又はメニューセレクタを制御できる方向信号を出力できる。例えば、ローラ部材１３０を利用して、ディスプレイ１２１に表示されたメニューからｙｅｓ又はｎｏの入力を選択できる。
【００１８】
ローラ部材１３０は、ディスプレイ１２１上のポインタを制御するだけでなく、ディスプレイ１２１に表示可能な写真又はビデオを撮影するためにカメラ１１７に連動することもできる。図２に示すように、カメラ１１７は第１筐体１１０の背面に設置されている。また、携帯端末機１００のバッテリ（図示せず）を保護してカメラ１１７を覆うために、カバー１１５が備えられる。これにより、携帯端末機１００の開閉状態に関係なく、写真又はビデオを撮影できる。
【００１９】
第１筐体１１０の上部領域１１４にはマイク１１６が備えられる。
【００２０】
図３に示すように、ユーザが文字又は他の命令を入力できるように複数のキーを備えたキーパッド１１１は、第２筐体１２０が開状態になると露出する。また、第２筐体１２０には、第１筐体１１０の上部領域１１４に対応する切欠部１２６が形成される。
【００２１】
ローラ部材１３０と共に、ローラ部材１３０に隣接してボタン１４１、１４２がさらに備えられており、ボタン１４１、１４２は矢印で示した方向に押すことができる。ボタン１４１、１４２を利用して、ディスプレイ１２１に表示された該当機能を入力できるだけでなく、ディスプレイ１２１上で左及び右にスクロールできる。同様に、ローラ部材１３０を矢印で示した方向に移動させることにより、ディスプレイ１２１に表示されたメニューオプション又は他の機能の選択を指示できる。ローラ部材１３０及びボタン１４１、１４２の詳細については図８を参照して後述する。
【００２２】
ローラ部材１３０及びボタン１４１、１４２を共に利用してディスプレイ１２１上のポインタを制御することもでき、ローラ部材１３０及びボタン１４１、１４２にユーザが使用することのできる多様な命令を割り当てることもできる。例えば、ローラ部材１３０を利用してメニュー又はサブメニューをスクロールし、ボタン１４１、１４２を利用して左及び右に移動させることができる。又は、カメラ機能などの携帯端末機１００の特定使用目的で、他のボタンを利用してディスプレイ１２１に表示された写真を撮影するときに、ローラ部材１３０又はボタン１４１、１４２を利用してズームイン又はズームアウトすることができる。また、ローラ部材１３０及びボタン１４１、１４２は、第２筐体１２０が開いているとき、キーパッド１１１に連動してさらなる機能を提供することができる。さらに、ローラ部材１３０及びボタン１４１、１４２は、携帯端末機１００が開状態であるか閉状態であるかによって異なる機能を実行することができる。例えば、ローラ部材１３０は、キーパッド１１１のためのエンター命令として機能することができる。ローラ部材１３０及びボタン１４１、１４２の多様な機能は前述した内容に限定されるものではなく、ローラ部材１３０及びボタン１４１、１４２には携帯端末機１００により提供される如何なる関連機能でも割り当てることができる。
【００２３】
図４及び図５は、本発明の第２実施形態による携帯端末機２００を示す斜視図である。
【００２４】
本発明の第２実施形態による携帯端末機２００において、第２筐体２２０の端部には切欠部２２６が形成されており、切欠部２２６を介して第１筐体２１０に装着されたローラ部材２３０及びボタン２４１、２４２が外部に露出する。携帯端末機２００は、１対のカバーボタン２５１、２５２が形成されたカバー２５０をさらに含む。ここで、カバー２５０は第２筐体２２０の外部面を形成し、カバーボタン２５１、２５２は独立して押すことができる。
【００２５】
図５に示すように、カバー２５０の１対のカバーボタン２５１、２５２の下側には、１対のドームスイッチ２５３、２５４がそれぞれ配置されている。カバー２５０が下方に押されると、１つ又は２つのドームスイッチ２５３、２５４が押されて該当信号が伝送され、ディスプレイ２２１に表示されたポインタ又は他の機能を制御できる。
【００２６】
好ましくは、カバー２５０は、複数の係止部材２５５を含む金属薄板で形成することができる。それぞれの係止部材２５５が第２筐体２２０の内部面と噛み合って、カバー２５０が第２筐体２２０の外部から突出しないようにする。さらに、第２筐体２２０は、係止部材２５５が携帯端末機２００の外部から見えないように構成することができる。
【００２７】
カバー２５０及びカバーボタン２５１、２５２は、第２筐体２２０の外部に備えられているため、第２筐体２２０の開閉状態に関係なく動作させることができる。カバーボタン２５１、２５２は、ローラ部材２３０及びボタン２４１、２４２の機能と類似した追加機能を提供する。カバーボタン２５１、２５２及びドームスイッチ２５３、２５４の配列に関する詳細については図８を参照して後述する。
【００２８】
本発明の第２実施形態による携帯端末機２００の残りの部分は、前述した第１実施形態と同様であるので説明を省略する。
【００２９】
図６〜図８は、本発明の第３実施形態による携帯端末機３００を示す図である。
【００３０】
本発明の第３実施形態による携帯端末機３００において、第２筐体３２０は、開位置と閉位置間でスライドしてキーパッド３１１を露出させる。また、第１及び２実施形態における切欠部が除去されており、カバー３５０及びカバーボタン３５１、３５２は第１筐体３１０に備えられている。これにより、第２筐体３２０の開閉状態に関係なく、ローラ部材３３０、ボタン３４１、３４２、カバー３５０、及びカバーボタン３５１、３５２が外部に露出し、第１筐体３１０の上面に滑らかな外観が形成される。
【００３１】
図８は、図７のＶＩＩＩ−ＶＩＩＩ線断面図であり、ローラ部材３３０、ボタン３４１、３４２、及びカバーボタン３５１、３５２の外観を示す。特に、ローラ部材３３０は円筒ホイール３３２を備え、円筒ホイール３３２は、周面に等間隔に配置された複数の磁石３３５を備えている。円筒ホイール３３２の下側にセンサ３３４が配置されており、ローラ部材３３０の回転方向を感知して信号に変換する。
【００３２】
また、円筒ホイール３３２は、第１筐体３１０に対して垂直方向に押されると、円筒ホイール３３２の下側に位置するスイッチ３３３に接触する。これと同様に、ボタン３４１、３４２の下側にもスイッチ３４５、３４６を設置する。それぞれのスイッチ３３３、３４５、３４６はプリント基板３３７上に位置する。
【００３３】
ユーザがカバー３５０を押すか、又はカバーボタン３５１、３５２のいずれか一方を押すと、該当スイッチ３５３、３５４も押される。カバーボタン３５１、３５２の下側に押圧突起３５６が形成されており、カバー３５０を押すと、カバー３５０に連動してスイッチ３５３、３５４が動作する。押圧突起３５６は、接着剤で貼り付けるか、又はカバー３５０の内部面に形成することができる。
【００３４】
それぞれのスイッチ３５３、３５４に隣接して発光部３５９が位置する。発光部３５９は、プリント基板３３７上に直接形成され、カバーボタン３５１、３５２を照明する発光ダイオード又は半導体レーザなどである。さらに、それぞれのカバーボタン３５１、３５２のためのシールド３５７を備えて、発光部３５９からの光が押圧突起３５６に向かうようにすることができる。また、押圧突起３５６を透過性材質で形成することにより、カバーボタン３５１、３５２を照明することができる。
【００３５】
カバー３５０は、カバー３５０が第１筐体３１０に係止された状態を維持する複数の係止部３５５を備える。また、押圧突起３５６及びシールド３５７を弾性体で形成することにより、カバー３５０を第１筐体３１０に密着させることができる。
【００３６】
第２筐体３２０は薄く形成されるため、第１筐体３１０内にアンテナ３６０を設置して、携帯端末機３００のサイズの増加を防止することができる。アンテナ３６０は基板３７０に装着することができる。図に示すように、アンテナ３６０はキャリア３６１及び回転体３６２を備える。
【００３７】
図９は、本発明の第４実施形態による携帯端末機４００を示す斜視図である。
【００３８】
本発明の第４実施形態による携帯端末機４００は、ローラ部材の代わりに、第１筐体４１０から延設されるステム４３２を有するピボット部材４３０を備える。ピボット部材４３０は、ディスプレイ４２１に表示されたポインタ又は他の機能を制御する。また、ピボット部材４３０は複数の方向に移動可能である。この点を除いては、ピボット部材４３０は前述したローラ部材及びボタンと類似した機能を果たす。
【００３９】
以上、本発明は、図面に示す実施形態を参照して説明したが、これは例示にすぎず、本発明の属する技術の分野における通常の知識を有する者であれば、これから多様な変形及び他の実施形態が可能であることは自明である。従って、本発明の権利範囲は、添付した特許請求の範囲の技術的思想により決定されるべきである。
【００４０】
以上のように、本発明の好ましい実施形態を用いて本発明を例示してきたが、本発明は、この実施形態に限定して解釈されるべきものではない。本発明は、特許請求の範囲によってのみその範囲が解釈されるべきであることが理解される。当業者は、本発明の具体的な好ましい実施形態の記載から、本発明の記載および技術常識に基づいて等価な範囲を実施することができることが理解される。本明細書において引用した特許、特許出願および文献は、その内容自体が具体的に本明細書に記載されているのと同様にその内容が本明細書に対する参考として援用されるべきであることが理解される。
【図面の簡単な説明】
【００４１】
【図１】本発明の第１実施形態による携帯端末機の正面斜視図である。
【図２】図１の携帯端末機の背面斜視図である。
【図３】図１の携帯端末機の開状態を示す正面斜視図である。
【図４】本発明の第２実施形態による携帯端末機の正面斜視図である。
【図５】図４の部分分解斜視図である。
【図６】本発明の第３実施形態による携帯端末機の正面斜視図である。
【図７】図６の携帯端末機の開状態を示す正面斜視図である。
【図８】図７のＶＩＩＩ−ＶＩＩＩ線断面図である。
【図９】本発明の第４実施形態による携帯端末機の正面斜視図である。
【図１】
0005483802.tif 000002
【図２】
0005483802.tif 000003
【図３】
0005483802.tif 000004
【図４】
0005483802.tif 000005
【図５】
0005483802.tif 000006
【図６】
0005483802.tif 000007
【図７】
0005483802.tif 000008
【図８】
0005483802.tif 000009
【図９】
0005483802.tif 000010